(57)【要約】【課題】衣類の一部の汚れが洗濯水によって他の部分に再付着するのを低減し、洗濯性能を向上させる。【解決手段】衣類収容部１ａ内に衣類を支持するハンガー９と、ハンガー９で支持された衣類に洗濯水を供給する噴射口１０と、噴射口１０に洗濯水を供給するポンプ１７と、噴射口１０とポンプ１７とを連通接続する洗濯水経路２３と、衣類の内側から洗濯水を吸引する吸引装置１５と、ポンプ１７および吸引装置１５を制御する制御装置２２とを備え、制御装置２２は、吸引装置１５を駆動させながら洗濯水を衣類に供給するようにしたものである。【選択図】図４
2014100429.tif 000002
【特許請求の範囲】
【請求項１】
衣類を収容する衣類収容部を設けた本体と、
前記衣類収容部内に衣類を支持するハンガーと、
前記ハンガーで支持された衣類に洗濯水を供給する噴射口と、
前記噴射口に洗濯水を供給するポンプと、
前記噴射口と前記ポンプとを連通接続する洗濯水経路と、
衣類の内側から洗濯水を吸引する吸引装置と、
前記ポンプおよび前記吸引装置を制御する制御装置とを備え、
前記制御装置は、前記吸引装置を駆動させながら洗濯水を衣類に供給するようにした
洗濯機。
【請求項２】
吸引した洗濯水を衣類に接触させずに排出する排出経路を設けた
請求項１記載の洗濯機。
【請求項３】
吸引装置は、ハンガーに設けた複数の吸引口と、
負圧を生じさせて洗濯水を吸引する吸引力発生装置と、
前記吸引口と前記吸引力発生装置とを連通接続する吸引経路とを具備した
請求項１または２記載の洗濯機。
【請求項４】
制御装置は、ポンプを駆動する前に吸引装置を駆動するようにした
請求項１〜３のいずれか１項に記載の洗濯機。
【請求項５】
吸引装置は、吸引経路を流れる風の流れ方向を切り替える風向切替装置を備えた
請求項１〜４のいずれか１項に記載の洗濯機。
【請求項６】
吸引装置は、吸引経路をポンプの吐出側と連通接続するように切り替える吸引経路切替装置を備えた
請求項３〜５のいずれか１項に記載の洗濯機。
【発明の詳細な説明】
【技術分野】
【０００１】
本発明は、衣類等の洗濯物を洗う洗濯機に関するものである。
【背景技術】
【０００２】
従来、この種の洗濯機は、衣類等の洗濯物を吊り下げた状態で固定し、洗浄液を移動させながら洗濯物に噴射するものが考えられている（例えば、特許文献１参照）。
【０００３】
図７は、特許文献１に記載された従来の洗濯システムを示すものである。図７に示すように、衣類等の洗濯物５１をハンガー５２に吊り下げて本体５３内に収容する。洗浄水を圧送するポンプ５４によって複数の噴射口５５から洗濯物５１に洗浄液を噴射し、洗浄するようにしたものである。
【先行技術文献】
【特許文献】
【０００４】
【特許文献１】特開２００３−３３５９７号公報
【発明の概要】
【発明が解決しようとする課題】
【０００５】
しかしながら、前記従来の構成では、襟元等衣類の一部分に汚れが付いている場合、汚れが付いている部分に洗濯水を噴射すると、洗濯水に溶け込んだ汚れが衣類の他の部分に再付着し、汚れは薄くはなるものの汚れが広がってしまう場合があった。その結果、衣類の下部には、衣類の上部に付いていた様々な汚れが薄まって付着してしまい、分厚い衣類や裏地のある衣類などは、汚れが落ちにくくなるという課題があった。
【０００６】
本発明は、前記従来の課題を解決するもので、衣類の一部の汚れが洗濯水によって他の部分に再付着するのを低減し、洗濯性能を向上させることが可能な洗濯機を提供することを目的とする。
【課題を解決するための手段】
【０００７】
前記従来の課題を解決するために、本発明の洗濯機は、衣類収容部内に衣類を支持するハンガーと、前記ハンガーで支持された衣類に洗濯水を供給する噴射口と、前記噴射口に洗濯水を供給するポンプと、前記噴射口と前記ポンプとを連通接続する洗濯水経路と、衣類の内側から洗濯水を吸引する吸引装置と、前記ポンプおよび前記吸引装置を制御する制御装置とを備え、前記制御装置は、前記吸引装置を駆動させながら洗濯水を衣類に供給するようにしたものである。
【０００８】
これによって、衣類の外側から内側に洗濯水を通過させながら汚れを洗浄することができるとともに、汚れの混ざった洗濯水を衣類の内側から吸引しながら洗うことで、衣類の一部の汚れを他の部分へ再付着させることなく、衣類全体の洗浄性能を向上させることができる。
【発明の効果】
【０００９】
本発明の洗濯機は、衣類の一部に付着した汚れを他の部分へ広げることなく洗浄することができ、衣類全体の洗浄性能を向上させることができる。
【図面の簡単な説明】
【００１０】
【図１】本発明の実施の形態１における洗濯機の外観図
【図２】同洗濯機の扉を開いた状態の外観図
【図３】同洗濯機の要部断面図
【図４】同洗濯機の要部断面図
【図５】本発明の実施の形態２における洗濯機の要部断面図
【図６】（ａ）（ｂ）同洗濯機のハンガーの一部切欠要部断面図
【図７】従来の洗濯システムの構成図
【発明を実施するための形態】
【００１１】
第１の発明は、衣類を収容する衣類収容部を設けた本体と、前記衣類収容部内に衣類を支持するハンガーと、前記ハンガーで支持された衣類に洗濯水を供給する噴射口と、前記噴射口に洗濯水を供給するポンプと、前記噴射口と前記ポンプとを連通接続する洗濯水経路と、衣類の内側から洗濯水を吸引する吸引装置と、前記ポンプおよび前記吸引装置を制御する制御装置とを備え、前記制御装置は、前記吸引装置を駆動させながら洗濯水を衣類に供給するようにしたことにより、衣類の一部の汚れを他の部分へ再付着させることなく洗浄することができ、衣類全体の洗浄性能を向上させることができる。
【００１２】
第２の発明は、特に、第１の発明において、吸引した洗濯水を衣類に接触させずに排出する排出経路を設けたことにより、衣類の汚れが含まれた洗濯水が、ハンガーに吊り下げられた衣類に接触することなく排出することができ、汚れの再付着を防止することができる。
【００１３】
第３の発明は、特に、第１または第２の発明において、吸引装置は、ハンガーに設けた複数の吸引口と、負圧を生じさせて洗濯水を吸引する吸引力発生装置と、前記吸引口と前記吸引力発生装置とを連通接続する吸引経路とを具備したことにより、衣類を吊下げ支持するハンガーから洗濯水を吸引することで、ハンガーに密着した衣類から洗濯水を効率よく吸引することができ、汚れた洗濯水が衣類の他の部分に広がることを低減することができる。
【００１４】
第４の発明は、特に、第１〜第３のいずれか１つの発明において、制御装置は、ポンプを駆動する前に吸引装置を駆動するようにしたことにより、汚れた洗濯水が衣類の他の部分へ広がり難くすることができ、洗浄性能を向上させることができる。
【００１５】
第５の発明は、特に、第１〜第４のいずれか１つの発明において、吸引装置は、吸引経路を流れる風の流れ方向を切り替える風向切替装置を備えたことにより、吸引口より風を噴射し、吸引口周辺の衣類を乾燥させることで、衣類に残った汚れ成分を他の部分へ拡散させるのを防ぐことができる。
【００１６】
第６の発明は、特に、第３〜第５のいずれか１つの発明において、吸引装置は、吸引経路をポンプの吐出側と連通接続するように切り替える吸引経路切替装置を備えたことにより、吸引する部分だけに直接洗濯水を供給することが可能となり、洗浄する部分以外の部分に洗濯水を付着させないことにより、衣類の一部の汚れがさらに他の部分に広がることを低減することができ、洗浄性能を向上させることができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における洗濯機の外観図、図２は、同洗濯機の扉を開いた状態の外観図、図３および図４は、同洗濯機の要部断面図である。
【００１９】
図１〜図４において、本発明の第１の実施の形態にかかる洗濯機は、本体１内の上部の大部分に形成した衣類収容部１ａと、本体１内の衣類収容部１ａの下方に形成した機械室１ｂを有している。衣類収容部１ａは、前面が開放可能な扉２を有し、扉２は、本体１に取着したヒンジ３によって開閉自在に支持している。
【００２０】
扉２は、左端の上下部にヒンジ３を設け、扉２の右端近傍の前面部に、開閉用の取っ手４を設けて左開きするようにしている。扉２の前面部には、運転用の操作部と運転モードや運転状況等を表示する操作表示装置５を設けている。機械室１ｂは、前面に開閉自在な機械扉６を有し、機械扉６の下部を支点に手前側へ回動させて、下方に開くように取り付けられている。
【００２１】
扉２の内側の本体１と接する部分には、扉２の周縁部に沿って防水パッキン７が設けられている。一方、本体１内の扉２と対向する位置に、開閉スイッチ（図示せず）が設けられている。開閉スイッチの操作部１ｃは本体１の前面部に突出し、扉２が閉じられたときに扉２により押圧されてオン状態になり、扉２が開かれると押圧が解除されてオフ状態になるように構成されている。
【００２２】
本体１の衣類収容部１ａ内には、衣類収容部１ａの左右の壁面にハンガーポール８の両端部を固定している。ハンガーポール８は、衣類収容部１ａの前後方向の略中央部に取り付けられており、衣類Ａが掛かったハンガー９をかけるように構成されている。
【００２３】
ハンガーポール８は、ハンガーポール用モータ（図示せず）によって上下振動可能に設けられている。また、ハンガーポール８には、ハンガー９が３つ吊り下げられるような吊り下げ部が衣類収納部１ａ内で略均等に構成されている。衣類収容部１ａの複数の内壁面には、衣類Ａの外側から洗濯水を噴射する複数の噴射口１０が設けられている。
【００２４】
衣類収容部１ａの底部には水溜め部１１が設けられている。水溜め部１１は、後部から扉２が設けられている前部に向けて、底面１１ａを前下がりに傾斜させて構成しており、扉２を開いた状態で前部から流出しないように一定程度の水量が溜められるようになっている。
【００２５】
ハンガー９は、図４に示すとおり、衣類Ａの襟から肩の部分を支持する襟肩支持部９ａと、衣類Ａの身頃部分内に筒状に延びた身頃部９ｂを有する形状となっている。衣類Ａの襟や肩の部分は、ハンガー９の襟肩支持部９ａによって支持されているので、ハンガー９に密着している。衣類Ａの身頃部分の内側に位置する身頃部９ｂは、ハンガー９に密着しておらず、衣類Ａとの間に所定の隙間を有している。
【００２６】
ハンガー９には、衣類Ａに密着している部分、すなわち、襟肩支持部９ａと、衣類Ａに近接している部分、すなわち、身頃部９ｂに複数の吸引口１２を設けている。吸引口１２は、例えば、直径約５ｍｍ程度の大きさで、狭い部分では３ｍｍ程度の間隔で並んで設けられている。
【００２７】
また、身頃の筒状部分、すなわち、身頃部９ｂの内側に吸引力発生装置１３が設けられている。吸引口１２と吸引力発生装置１３は、ハンガー９内に設けられた吸引経路１４によって連通接続されている。吸引装置１５は、吸引口１２と、負圧を生じさせて洗濯水を吸引する吸引力発生装置１３と、吸引経路１４とで構成されている。
【００２８】
吸引力発生装置１３には、吸引経路１４と反対側に排出経路１６が下方に向けて設けられており、排出経路１６の出口から出た洗濯水は水溜め部１１に排水される。排出経路１６から出た洗濯水は、ハンガー９の内側、すなわち、筒状に延びた身頃部９ｂの内側を通るので、衣類Ａには接触しない。
【００２９】
また、ハンガー９をハンガーポール８に吊り下げる吊下げ部には、ハンガー９とハンガーポール８が接触する部分に、一対の電極（図示せず）が設けられており、吸引力発生装置１３の電力は、制御装置２２から電極を介して吸引力発生装置１３に供給される。
【００３０】
本体１内の機械室１ｂ内には、洗濯水を循環させるためのポンプ１７と、ポンプ１７と水溜め部１１とを連通接続させる循環経路１８と、循環経路１８中に着脱自在に設けたフィルタ１９と、フィルタ１９とポンプ１７との間の循環経路１８に設けた排水弁２０と、排水弁２０と機外とを連通接続する排水経路２１と、吸引力発生装置１３、ポンプ１７、排水弁２０等を制御し、洗濯運転を制御する制御装置２２を設けている。
【００３１】
排水弁２０は、循環経路１８およびポンプ１７と同じか、それより下方に設けられている。また、ポンプ１７と複数の各噴射口１０とを連通接続する洗濯水経路２３が設けられている。
【００３２】
洗濯水経路２３のポンプ１７近傍には、洗濯水経路切替装置２４を設けている。洗濯水経路２３は、１つのハンガー９について３本存在し、１つ目の洗濯水経路２３ａは、噴射口１０ａとポンプ１７とを連通接続し、衣類Ａの上部に対向配置した噴射口１０ａから衣類Ａに向かって上方から洗濯水を噴射する。
【００３３】
２つ目の洗濯水経路２３ｂは、噴射口１０ｂとポンプ１７とを連通接続し、衣類Ａの側部の上方に対向配置した噴射口１０ｂから衣類Ａに向かって側方から洗濯水を噴射する。３つ目の洗濯水経路２３ｃは、噴射口１０ｃとポンプ１７とを連通接続し、衣類Ａの側部の下方に対向配置した噴射口１０ｃから衣類Ａに向かって側方から洗濯水を噴射する。
【００３４】
洗濯水経路切替装置２４は、ダンパーによりポンプ１７と連通接続する噴射口１０ａ、１０ｂ、１０ｃを切り替えることができ、全部または一部または順次または設定された噴射口１０から洗濯水を噴射するよう構成されている。
【００３５】
外部水栓Ｃと本体１は、ホースＤで接続されており、ホースＤを通って流入した水は、本体１内の給水弁（図示せず）を介して衣類収容部１ａ内の水溜め部１１に供給されるように構成されている。
【００３６】
以上のように構成された洗濯機について、以下その動作、作用を説明する。衣類の洗濯プログラムの実行による動作の詳細を以下に説明する。洗濯の手順の概要を示す。洗濯は洗い工程、すすぎ工程、脱水工程からなる。洗い工程での手順を示す。まず、使用者は扉２を開けて、洗濯する衣類Ａをハンガー９に掛け、衣類収容部１ａ内のハンガーポール８に吊り下げる。
【００３７】
次に、洗剤等を水溜め部１１に供給して扉２を閉じると、開閉スイッチ（図示せず）の操作部１ｃを押圧してオンされ、制御装置２２は扉２が閉じられたことを検知する。使用者は操作表示装置５を操作して、洗濯を行う衣類の種類別や、汚れ度合別に設けられたコースの中から最適なものを選択し、洗濯を開始する。
【００３８】
洗い工程が始まると、制御装置２２は、給水弁（図示せず）を開いて水を水溜め部１１に供給し、水と洗剤が混合される。供給された水は、水溜め部１１から循環経路１８に流入し、フィルタ１９および排水弁２０を介してポンプ１７まで流入する。このとき、排水弁２０で排水経路２１側を閉じている。
【００３９】
次に、制御装置２２は、吸引力発生装置１３を駆動させ、吸引口１２から空気を吸引させる。その後、制御装置２２は、ポンプ１７を駆動して洗濯水を吐出させる。洗濯水は洗濯水経路２３を矢印イ方向へ流れ、複数の噴射口１０より衣類Ａの各部位に向かって外側から洗濯水が噴射される。
【００４０】
制御装置２２が吸引力発生装置１３を駆動させると、吸引口１２周囲の空気が吸引経路１４内に吸込まれ、衣類Ａも吸引される。その結果、衣類Ａは吸引口１２に密接する状態となる。衣類Ａの外側から供給された洗濯水は、吸引装置１５により衣類Ａを貫通して吸引口１２へと吸引される。
【００４１】
衣類Ａの外側から供給された洗濯水は、衣類Ａを貫通するので、繊維の奥深くにこびりついた汚れも落とすことが可能となる。また、洗濯水は吸引装置１５によって、洗濯水が衣類Ａのその他の部分に広がる前に吸引される。衣類Ａの余分な水分は吸引装置１５によってほとんど吸引されてしまうので、特に脱水工程を設ける必要はない。
【００４２】
衣類Ａから吸引された汚れを含む洗濯水は、吸引経路１４を通り、吸引力発生装置１３を経て排出経路１６から水溜め室１１に排出され、循環経路１８を通ってポンプ１７に戻って循環する。
【００４３】
制御装置２２は、予め設定された所定時間、洗濯水を循環させ、上記のように付着した汚れを衣類Ａから除去する。その後、制御装置２２は、ポンプ１７を停止し、排水弁２０を開放させて、水溜め部１１や循環経路１８に溜まった洗濯水を排水経路２１から機外へ排出し、洗い工程を終了する。
【００４４】
洗い工程が終了すると、すすぎ工程に移る。制御装置２２は、給水弁を開放するとともに排水弁２０で排水経路２１を閉じ、水を水溜め部１１に溜める。所定の時間が経過すると、制御装置２２は給水弁を閉じ、ポンプ１７を駆動する。
【００４５】
洗い工程の終了とともに汚れと洗剤の混ざった洗濯水が排水されているので、汚れの含まない水を衣類Ａに噴射することになり、衣類Ａに残った汚れや洗剤などを洗い落とす。ポンプ１７を駆動させて所定時間経過すると、制御装置２２はポンプ１７を停止させて、排水弁２０を開放して排水する。以上の給水から排水までのプロセスを複数回行ってすすぎ工程を終了する。なお、すすぎ工程において、吸引装置１５を駆動させてもよい。
【００４６】
すすぎ工程が終了すると、脱水工程に移る。制御装置２２は排水弁２０を開き、ハンガーポール用モータ（図示せず）を動作させ、ハンガーポール８を上下振動させる。ハンガーポール８の上下振動により衣類Ａから水が落下していく。
【００４７】
所定時間ハンガーポール用モータを動作させた後、制御装置２２は、ハンガーポール用モータの動作を停止し、脱水工程を終了する。脱水工程が終了すると、制御装置２２は、操作表示装置５に取り付けられたスピーカーから運転終了を知らせるメロディを流して報知する。
【００４８】
なお、洗濯をしていない場合は、開閉スイッチ（図示せず）がオフの状態、つまり、扉２が開かれた状態では、制御装置２２は運転を開始しない。一方、洗濯中は、開閉スイッチ（図示せず）がオフの状態になると、制御装置２２は、吸引力発生装置１３、ポンプ１７、ハンガーポール用モータ（図示せず）等の動作を停止し、給水弁（図示せず）と排水弁２０は閉じる。
【００４９】
以上のように、本実施の形態においては、衣類を収容する衣類収容部１ａを設けた本体１と、衣類収容部１ａ内に衣類を支持するハンガー９と、ハンガー９で支持された衣類に洗濯水を供給する噴射口１０と、噴射口１０に洗濯水を供給するポンプ１７と、噴射口１０とポンプ１７とを連通接続する洗濯水経路２３と、衣類の内側から洗濯水を吸引する吸引装置１５と、ポンプ１７および吸引装置１５を制御する制御装置２２とを備え、制御装置２２は、吸引装置１５を駆動させながら洗濯水を衣類に供給するようにしたものであり、衣類の一部の汚れが全体に広がって再付着することを防いで、衣類全体の洗浄性能を向上させることができる。
【００５０】
また、吸引した洗濯水の排出経路１６をハンガー９の内側に配置したことで、汚れを含んだ洗濯水が衣類Ａに接触することがなく、汚れの再付着を少なくして洗浄性能を向上させることができる。
【００５１】
また、ポンプ１７を駆動して洗濯水を供給する前に吸引動作を開始することで、汚れを含んだ洗濯水が衣類の他の部分に広がることを防ぎ、汚れの再付着を防止して洗浄性能を向上させることができる。
【００５２】
なお、吸引経路１４内にダンパーを設置し、制御装置２２によってこのダンパーの開閉を制御することで、一時に吸引力を発生させる吸引口１２を限定してもよい。例えば、衣類Ａの襟の部分のみ洗浄したい場合に、襟の部分の吸引口１２のみ吸引力を発生させることで、吸引口１２全部から吸引する場合に比べて、より強い吸引力を発生させることができる。
【００５３】
（実施の形態２）
図５は、本発明の第２の実施の形態における洗濯機の要部断面図である。本実施の形態の特徴は、ハンガー２５は、衣類Ａの襟部および肩部近傍のみの構造となっており、身頃の部分まで広がっていない。また、吸引力発生装置１３は機械室１ｂに配設されており、吸引経路２６は、ハンガー２５内およびハンガーポール８、衣類収納部１ａ外壁の内側を通って吸引力発生装置１３と連通接続している。ハンガー２５には、吸引口２７が衣類と接触する部分に複数設けられており、それぞれの吸引口２７は、吸引経路２６を通して吸引力発生装置１３と連通接続されている。
【００５４】
吸引経路２６の途中には風向切替装置２８を設けており、ダンパーによって吸引経路２６と吸引力発生装置１３の吸込側を連通接続させる場合（ケース１）と、吸引力発生装置１３の吐出側を連通接続させる場合（ケース２）とを切り替えることが可能に構成されている。
【００５５】
ケース１の場合は、吸引力発生装置１３の吐出側は、排水切替弁２９を介して循環経路１８と連結され、吸込んだ洗濯水を排水弁２０を介して排水経路２１から機体外へ排出するよう構成されている。循環経路１８には汚れセンサ（図示せず）が設けられている。
【００５６】
一方、ケース２の場合は、吸引力発生装置１３の吸込側は、吸気切替弁３０を介して機械室１ｂ内の空気を吸い込むように構成されている。
【００５７】
洗濯水経路２３は、新たに吸引経路２６と洗濯水経路切替装置２４とを連通接続する経路が付加されており、吸引経路切替装置３１を介して吸引経路２６と連通接続されている。吸引経路切替装置３１が洗濯水経路２３と吸引経路２６とを連通接続した場合は、洗濯水が吸引力発生装置１３側に流れ込まないように密閉するよう構成されている。
【００５８】
図６は、ハンガー２５の引っ掛け部とハンガーポール８の断面図を示しており、（ａ）は、ハンガー２５をハンガーポール８にセットした状態であり、（ｂ）は、ハンガー２５をハンガーポール８から外した状態を示している。
【００５９】
ハンガーポール８のハンガー２５をセットする部分に丸穴８ａが開けられており、この丸穴８ａの内側にパッキン３２が設けられている。パッキン３２は、ハンガーポール８の丸穴８ａを閉じる方向へ、内方から押し付けられるようにバネ（図示せず）によって付勢されている。他の構成は実施の形態１と同じであり、同一の構成に同一の符号を付して、詳細な説明は実施の形態１のものを援用する。
【００６０】
以上のように構成された洗濯機について、以下その動作、作用を説明する。基本的な動作は、実施の形態１と同様であるので、詳細な説明は実施の形態１のものを援用する。
【００６１】
使用者は、特に、襟部分のみ洗いたい衣類Ａをハンガー２５にセットし、衣類Ａの襟部分だけを洗う襟洗浄コースを選択し、実行する。
【００６２】
洗い工程においては、制御装置２２は、吸引経路切替装置３１によりポンプ１７の水を吸引経路２６を逆流するように切り替えて、衣類Ａの襟や肩部分を少量濡らす程度供給する。その後、制御装置２２は、吸引経路切替装置３１により洗濯水経路２３と吸引経路２６とを遮絶し、風向切替装置２８をケース１（吸引経路２６と吸引力発生装置１３の吸込側を連通接続）に切り替えて、衣類Ａに対して外側から噴射された洗濯水を、衣類Ａの内側から吸引する。
【００６３】
汚れを含んだ吸引された洗濯水は、吸引経路２６を通して循環経路１８に流れ込み、汚れセンサーによって洗濯水の汚れ度合いを制御装置２２へ出力する。制御装置２２は、検知した汚れ度合いに応じて洗剤量を調整した洗濯水をポンプ１７によって衣類Ａの襟部に供給する。この間、吸引力発生装置１３は駆動したままであり、洗濯水を吸引しながら襟部だけの洗浄を行う。
【００６４】
洗い工程が終わると、すすぎ工程を開始する。制御装置２２は、吸引力発生装置１３を駆動させた後、汚れの加わっていない水を噴射口１０ａから襟部分のみに供給する。これにより、衣類Ａに付着した汚れや洗剤成分が水に溶け出して洗い流される。洗濯水を吸引しながらすすぐので、衣類Ａは脱水する必要のない程度の水しか残っておらず、脱水工程は行わずに乾燥工程に入る。
【００６５】
乾燥工程では、制御装置２２は風向切替装置２８を切り替えて、吸引口２７から衣類Ａに向かって送風する。このとき、制御装置２２は吸気切替弁３０を、吸引力発生装置１３が機械室１ｂ内の空気を吸うように切り替える。これにより、濡れている部分を急速に乾燥することができる。
【００６６】
実施の形態１と異なり、吸引口２７は衣類を支持している部分だけに設けられており、衣類との間に隙間が生じにくく、吸引力発生装置１３を駆動させると、衣類Ａは吸引されて吸引口２７と接触し、吸引ロスが生じにくく、効率よく吸引することができる。
【００６７】
本実施の形態においては、吸引口２７は衣類の上部に集中して設けられており、中部と下部には存在しない。基本的に汚れの再付着は、衣類の上部の汚れがその下部に広がっていくものである。特に、襟の部分は素肌に接しやすい部分であり、皮脂汚れなどが付着しやすいが、それより下の部分では、直接素肌に接することもなく、水でも十分落ちる汚れである場合も多い。
【００６８】
このようなことを鑑みると、衣類の上部、特に、襟部分の汚れが再付着することを防ぐのが合理的であり、吸引口２７が衣類の上部に偏っていても、実質的に汚れの再付着を防ぐという効果は十分に得られるものである。
【００６９】
ハンガー２５がハンガーポール８にセットされたときは、パッキン３２はハンガー２５に設けた突起２５ａによって押圧され、図６（ａ）のように、付勢力に抗してハンガーポール８の内側に入り込み、ハンガー２５内の洗濯水がハンガーポール８内に流れ込む。ハンガー２５がハンガーポール８から外されると、パッキン３２が丸穴８ａを閉じ、ハンガー２５の吸引口２７にて吸引力が働かなくなる。
【００７０】
以上のように、本実施の形態においては、風向切替装置２８を設けることで、衣類を部分的に洗浄とすすぎを行った後で、洗濯水の衣類に含まれる水分が他の部分にまで広がっていく前に、素早く乾燥させることが可能となり、汚れの再付着を抑制して衣類の洗浄性能を向上させることができる。
【００７１】
また、本実施の形態においては、吸引経路切替装置３１を設けることで、洗濯水を確実に吸引可能な部分のみに供給することが可能となるので、さらに汚れが他の部分に再付着することを抑制して、衣類の洗浄性能を向上させることができる。
【００７２】
なお、上記すべての実施の形態において、吸引口の形状は必ずしも円形でなくてもよく、また、吸引力発生装置１３の吸引能力との兼ね合いで最適な大きさを選べばよいので、必ずしも実施の形態に記載するような大きさや間隔でなくてもよい。
【００７３】
また、衣類の襟や肩部など直接ハンガーで衣類を支持している部分と、そうでない部分では、衣類との距離も異なるために最適な吸引口の大きさも異なってくるため、吸引口は配設場所によって大きさを異ならせるようにしてもよい。
【００７４】
なお、上記すべての実施の形態において、吸引口の形状は、円形の穴が開いているだけではなく、ハンガー表面がヴォイド状に形成され、このヴォイドの底部分に吸引穴を設けるなどすると、より広範囲の部分から洗濯水を吸引することができる。
【００７５】
なお、上記すべての実施の形態において、本体１は必ずしも箱型でなくてもよく、円筒形や尖塔形状など他の形でも、衣類をハンガーにより支持した状態で収容することができればよい。
【００７６】
なお、上記すべての実施の形態において、機械扉６は扉２と一体化されていてもよい。
【００７７】
なお、上記すべての実施の形態において、送風用のファンを設けて、衣類を乾燥させる機能が付加されてもよい。
【００７８】
なお、上記すべての実施の形態において、扉２は片開きの扉であるが、両開きの扉や、シャッターなど他の扉でもよく、本体１内からの水漏れが防止できればよい。
【００７９】
なお、上記すべての実施の形態において、ハンガーの数は３つに限定されるものではなく、それ以上でも以下でもよい。
【産業上の利用可能性】
【００８０】
以上のように、本発明にかかる洗濯機は、衣類の一部に付着した汚れを他の部分へ広げることなく洗浄することができ、衣類全体の洗浄性能を向上させることができるので、洗濯機として有用である。
【符号の説明】
【００８１】
１    本体
１ａ  衣類収容部
９    ハンガー
１０  噴射口
１５  吸引装置
１７  ポンプ
２２  制御装置
２３  洗濯水経路
【図１】
2014100429.tif 000003
【図２】
2014100429.tif 000004
【図３】
2014100429.tif 000005
【図４】
2014100429.tif 000006
【図５】
2014100429.tif 000007
【図６】
2014100429.tif 000008
【図７】
2014100429.tif 000009